(57)【要約】      （修正有）【課題】使い勝手のよい状態でコード束を収納して保管することが可能なコード束の収納容器を提供する。【解決手段】収納容器１は、刈払機用のコードをコイル状に束ねたコード束を内部に収納するための中空体３０と、該中空体３０に形成され、コードを引き出すための引出孔２２とを備え、引出孔２２は、コード束の軸方向の一側に形成されている。【選択図】図１
0003170951.tif 000002
【実用新案登録請求の範囲】
【請求項１】
刈払機用のコードをコイル状に束ねたコード束を内部に収納するための中空体と、
前記中空体に形成され、前記コードを引き出すための引出孔と、を備え、
前記引出孔は、前記コード束の軸方向の一側に形成されることを特徴とする、
コード束の収納容器。
【請求項２】
前記中空体に形成され、前記中空体内部の前記コード束に外部からアクセスするためのアクセス孔を備えることを特徴とする、
請求項１に記載のコード束の収納容器。
【請求項３】
前記アクセス孔は、前記コード束の外周側において周方向に沿った少なくとも２箇所に形成されることを特徴とする、
請求項２に記載のコード束の収納容器。
【請求項４】
前記アクセス孔は、前記コード束の軸方向の一側または他側において周方向に沿った少なくとも２箇所に形成されることを特徴とする、
請求項２または３に記載のコード束の収納容器。
【請求項５】
前記アクセス孔は、
前記コード束の外周側において周方向に沿って配列された少なくとも２つの外周側アクセス孔と、
前記コード束の軸方向の一側または他側において周方向に沿って前記外周側アクセス孔に対応する位置に配列された少なくとも２つの軸側アクセス孔と、を含むことを特徴とする、
請求項２に記載のコード束の収納容器。
【請求項６】
前記引出孔は、前記コード束の軸方向の一側の端面において、前記中空体の内部空間の中心軸からずれた位置に形成されることを特徴とする、
請求項１乃至５のいずれかに記載のコード束の収納容器。
【請求項７】
前記引出孔から引き出された前記コードの長さを計測して表示する計測器を備えることを特徴とする、
請求項１乃至６のいずれかに記載のコード束の収納容器。
【請求項８】
前記計測器は、
前記引出孔から引き出される前記コードの直線運動を回転動力に変換する変換機構と、
前記変換機構からの回転動力によって回転する表示部材と、を備えることを特徴とする、
請求項７に記載のコード束の収納容器。
【請求項９】
前記変換機構は、
自身の外周面が前記コードの側面に接触するように配置されるローラと、
前記ローラと同軸的に接続されるウォームと、
前記ウォームと噛み合うウォームホイールと、から構成されることを特徴とする、
請求項８に記載のコード束の収納容器。
【請求項１０】
前記表示部材は、前記中空体の内部において一回転ごとに所定の基準位置を通過するように構成され、
前記中空体には、前記基準位置にある前記表示部材を視認可能とする表示窓が形成されることを特徴とする、
請求項８または９に記載のコード束の収納容器。
【考案の詳細な説明】
【技術分野】
【０００１】
本考案は、刈払機の刈刃として使用されるコードをコイル状に束ねたものであるコード束を収納するためのコード束の収納容器に関する。
【背景技術】
【０００２】
従来、草木を刈り払うための刈払機（草刈機）として、原動機によって刈刃（カッタ）を回転させる刈払機が広く使用されている。このような刈払機では、刈刃として、金属製の円盤の外周部に刃を設けたものの他に、ナイロン等の樹脂性のコード（ナイロンコード）が使用されている（例えば、特許文献１または２参照）。
【０００３】
このコードは、回転するヘッドの外周部から放射状に突出した状態で使用され、石等に接触した場合に破片等が飛散する可能性が低く、また、人体に接触した場合の怪我の程度も軽いことから比較的安全性が高く、金属製の刈刃に替えて近年広く使用されるようになってきている。
【先行技術文献】
【特許文献】
【０００４】
【特許文献１】特開平８−１４９９１５号公報
【特許文献２】特開２００７−１３５４１８号公報
【考案の概要】
【考案が解決しようとする課題】
【０００５】
このようなコードは、樹脂製のため安全性は高いものの、使用するうちに徐々に摩耗や破断等するため、定期的に交換する必要がある。このため、交換用のコードとして、コードを数ｍ〜数十ｍ程度の単位でコイル状に束ねたもの（コード束）が市販されており、使用者はこのコード束からヘッドに取り付けるのに必要な長さのコードを切り出して、摩耗したコードと交換している。
【０００６】
しかしながら、このような交換用のコード束は、一般的にワイヤータイ（ビニールタイ）等の結束具で結束されたものが袋詰め、またはシュリンクパック等された状態で販売されており、使用者は、まず袋等からコード束を取出し、結束具を一旦外した上で必要な長さのコードを切り出し、その後再び残りのコードを結束具で束ね、袋等に収納して保管する必要があった。
【０００７】
このため、結束具の脱着に手間がかかるだけでなく、結束具を外した際にコードが広がってしまい、収拾がつかなくなる場合がある等、従来の交換用コード束は使い勝手のよい形態で供給されるものではなかった。
【０００８】
本考案は、斯かる実情に鑑み、使い勝手のよい状態でコード束を収納して保管することが可能なコード束の収納容器を提供しようとするものである。
【課題を解決するための手段】
【０００９】
（１）本考案は、刈払機用のコードをコイル状に束ねたコード束を内部に収納するための中空体と、前記中空体に形成され、前記コードを引き出すための引出孔と、を備え、前記引出孔は、前記コード束の軸方向の一側に形成されることを特徴とする、コード束の収納容器である。
【００１０】
（２）本考案はまた、前記中空体に形成され、前記中空体内部の前記コード束に外部からアクセスするためのアクセス孔を備えることを特徴とする、上記（１）に記載のコード束の収納容器である。
【００１１】
（３）本考案はまた、前記アクセス孔は、前記コード束の外周側において周方向に沿った少なくとも２箇所に形成されることを特徴とする、上記（２）に記載のコード束の収納容器である。
【００１２】
（４）本考案はまた、前記アクセス孔は、前記コード束の軸方向の一側または他側において周方向に沿った少なくとも２箇所に形成されることを特徴とする、上記（２）または（３）に記載のコード束の収納容器である。
【００１３】
（５）本考案はまた、前記アクセス孔は、前記コード束の外周側において周方向に沿って配列された少なくとも２つの外周側アクセス孔と、前記コード束の軸方向の一側または他側において周方向に沿って前記外周側アクセス孔に対応する位置に配列された少なくとも２つの軸側アクセス孔と、を含むことを特徴とする、上記（２）に記載のコード束の収納容器である。
【００１４】
（６）本考案はまた、前記引出孔は、前記コード束の軸方向の一側の端面において、前記中空体の内部空間の中心軸からずれた位置に形成されることを特徴とする、上記（１）乃至（５）のいずれかに記載のコード束の収納容器である。
【００１５】
（７）本考案はまた、前記引出孔から引き出された前記コードの長さを計測して表示する計測器を備えることを特徴とする、上記（１）乃至（６）のいずれかに記載のコード束の収納容器である。
【００１６】
（８）本考案はまた、前記計測器は、前記引出孔から引き出される前記コードの直線運動を回転動力に変換する変換機構と、前記変換機構からの回転動力によって回転する表示部材と、を備えることを特徴とする、上記（７）に記載のコード束の収納容器である。
【００１７】
（９）本考案はまた、前記変換機構は、自身の外周面が前記コードの側面に接触するように配置されるローラと、前記ローラと同軸的に接続されるウォームと、前記ウォームと噛み合うウォームホイールと、から構成されることを特徴とする、上記（８）に記載のコード束の収納容器である。
【００１８】
（１０）本考案はまた、前記表示部材は、前記中空体の内部において一回転ごとに所定の基準位置を通過するように構成され、前記中空体には、前記基準位置にある前記表示部材を視認可能とする表示窓が形成されることを特徴とする、上記（８）または（９）に記載のコード束の収納容器である。
【考案の効果】
【００１９】
本考案に係るコード束の収納容器によれば、使い勝手のよい状態でコード束を収納して保管することが可能という優れた効果を奏し得る。
【図面の簡単な説明】
【００２０】
【図１】（ａ）本考案の第１の実施形態に係るコード束の収納容器の正面図である。（ｂ）同収納容器の側面図である。
【図２】（ａ）同収納容器の背面図である。（ｂ）図１（ａ）のＡ−Ａ線断面図である。
【図３】コード束を同収納容器に収納する様子を示した図である。
【図４】（ａ）コード束を収納した状態の同収納容器の正面図である。（ｂ）コード束を収納した状態の同収納容器の側面図である。
【図５】（ａ）本考案の第２の実施形態に係るコード束の収納容器の正面図である。（ｂ）同収納容器の側面図である。
【図６】（ａ）同収納容器の背面図である。（ｂ）図５（ａ）のＡ−Ａ線断面図である。
【図７】（ａ）背面側から見た計測器の断面図である。（ｂ）図７（ａ）の右側から見た計測器の断面図である。
【考案を実施するための形態】
【００２１】
以下、本考案の実施の形態を、添付図面を参照して説明する。
【００２２】
＜第１の実施形態＞
まず、図１および２を用いて、本考案の第１の実施形態のコード束の収納容器１（以下、単に収納容器１と呼ぶ）の構造について説明する。これらの図に示されるように収納容器１は、鍔付きの有底円筒状のトレー１０、および略涙滴形の板状の蓋２０から構成されており、このトレー１０と蓋２０を組み合わせることにより、コード束１００を収納する略円柱状の内部空間Ｒを有する中空体３０が形成されるようになっている。
【００２３】
トレー１０は、略円盤状の底壁部１２と、底壁部１２の外周から蓋２０側に突出する略円筒状の側壁部１４と、底壁部１２の先端から半径方向外側に張り出す鍔部１６と、から構成されている。底壁部１２は、内部空間Ｒの中心軸Ｃ方向の一側（正面側）に位置する部分である。底壁部１２には、７つの貫通孔である正面側アクセス孔１２ａ、１２ｂが形成されている。これら７つの正面側アクセス孔１２ａ、１２ｂは、内部空間Ｒに収納されたコード束１００に外部からアクセスするためのものであり、底壁部１２の外周部において中心軸Ｃを中心とする円周方向に沿って配列された略円弧状の６つの正面側アクセス孔１２ａ、および底壁部１２の中央部に配置された円形状の１つの正面側アクセス孔１２ｂから構成されている。
【００２４】
側壁部１４は、内部空間Ｒを外周側（中心軸Ｃに直交する方向）から囲む部分である。側壁部１４には、４つの貫通孔である外周側アクセス孔１４ａが形成されている。これら４つの外周側アクセス孔１４ａは、正面側アクセス孔１２ａと同様にコード束１００に外部からアクセスするためのものであり、中心軸Ｃを中心とする円周方向に沿って配列されると共に、正面側アクセス孔１４ａの下側の４つに対応する位置（隣り合う位置）にそれぞれ配置されている。
【００２５】
鍔部１６は、蓋２０と当接して係合する部分である。鍔部１６には、幅広部および幅狭部からなる略Ｔ字状の貫通孔である係合孔１６ａ、および円形状の貫通孔であるストッパ孔１６ｂが、それぞれ３箇所に形成されている。詳細は後述するが、係合孔１６ａは、トレー１０と蓋２０を係合させる係合部４０の一部を構成するものであり、ストッパ孔１６ｂは、トレー１０と蓋２０の係合をロックするロック部４２の一部を構成するものである。
【００２６】
蓋２０は、内部空間Ｒの中心軸Ｃ方向の他側（背面側）に位置する部分である。蓋２０には、コード束１００にアクセスするための略円弧状の貫通孔である６つの背面側アクセス孔２０ａ、およびコード束１００のコード端部１０２を引き出すための円形状の貫通孔である２つの引出孔２２が形成されている。６つの背面側アクセス孔２０ａは、中心軸Ｃを中心とする円周方向に沿って配列されると共に、正面側アクセス孔１４ａに対応する位置（対向する位置）にそれぞれ配置されている。また２つの引出孔２２は、蓋２０の略中央部において中心軸Ｃからずれた位置にそれぞれ配置されている。
【００２７】
蓋２０の上部には、収納容器１を吊下げるためのフック孔２４が形成されている。蓋２０にはまた、係合孔１６ａに係合する係合爪２６が係合孔１６ａに対応する位置に形成されると共に、ストッパ孔１６ｂに挿入されるストッパピン２８がストッパ孔１６ｂに対応する位置に形成されている。ストッパピン２８は、蓋２０の一部を切り欠くことにより弾性変形可能に形成された舌片２８ａの先端部に設けられている。
【００２８】
係合部４０は、トレー１０に設けられた係合孔１６ａ、および蓋２０に設けられた係合爪２６から構成され、トレー１０と蓋２０を係合させて一体化し、中空体３０を形成するためのものである。係合部４０は、係合爪２６を係合孔１６ａの幅広部に挿入した後に、トレー１０と蓋２０を中心軸Ｃ周りに相対的に回転させて係合爪２６を係合孔１６ａの幅狭部に位置させることにより、トレー１０と蓋２０が係合されるように構成されている。
【００２９】
ロック部４２は、トレー１０に設けられたストッパ孔１６ｂ、および蓋２０に設けられたストッパピン２８から構成され、トレー１０と蓋２０の係合状態をロックするためのものである。ロック部４２は、ストッパ孔１６ｂ内に挿入されたストッパピン２８によってトレー１０と蓋２０が中心軸Ｃ周りに相対的に回転するのを制限することで、トレー１０と蓋２０の係合状態をロックするように構成されている。従って、ストッパピン２８は、係合爪２６が係合孔１６ａの幅広部にある場合は舌片２８ａの弾性変形によって背面側に退避した状態となり、係合爪２６が係合孔１６ａの幅狭部に位置した場合にストッパ孔１６ｂ内に挿入されるようになっている。
【００３０】
次に、図３および４を用いて、収納容器１におけるコード束１００の収納方法、および収納容器１の使用方法について説明する。収納容器１にコード束１００を収納する場合、まず、コード束１００をトレー１０内（内部空間Ｒ内）に入れる。このとき、内部空間Ｒは円柱状であることから、コード束１００の中心軸Ｃｃが中心軸Ｃと平行となるようにする。
【００３１】
次に、コード束１００のコード端部１０２を２つの引出孔２２のいずれかに挿入し、この状態のまま、係合爪２６を係合孔１６ａの幅広部に挿入して、蓋２０をトレー１０の鍔部１６に当接させる。そして、トレー１０と蓋２０を相対的に回転させることにより、係合爪２６を係合孔１６ａの幅狭部に移動させると共に、ストッパピン２８をストッパ孔１６ｂに挿入させる。これにより、トレー１０と蓋２０が係合されてコード束１００を内部空間Ｒ内に収納した中空体３０が形成されると共に、トレー１０と蓋２０の係合状態がロックされる。すなわち、コード束１００が収納容器１内に収納された状態となる。
【００３２】
図４（ａ）および（ｂ）に示されるように、コード束１００が収納容器１内（内部空間Ｒ内）に収納された状態においても、結束具２００は、各アクセス孔１２ａ、１２ｂ、１４ａ、２０ａを介して外部から視認可能、且つ外部からアクセス可能となっている。すなわち、本実施形態では、コード束１００を収納容器１内に収納した後であっても、結束具２００を取り外すことが可能となっている。
【００３３】
これにより、本実施形態では、コード束１００を収納容器１内に収納する際に、結束された状態のままのコード束１００をトレー１０内に入れると共に、結束された状態のままコード端部１０２を引出孔２２に挿入することが可能となっている。従って、結束を解いた場合に広がり易い、剛性の高いコードのコード束１００であっても、短時間で容易に収納容器１内に収納することができる。
【００３４】
さらに、本実施形態では、内部空間Ｒの正面側、外周側および背面側にそれぞれアクセス孔１２ａ、１２ｂ、１４ａ、２０ａを配置すると共に、各アクセス孔１２ａ、１４ａ、２０ａの一部を互いに対応する位置に設けているため、コード束１００および結束具２００に対して同時に複数方向からアクセスすることが可能となっている。このため、コード束１００を収納容器１内に収納した後であっても、きわめて容易に結束具２００を取り外せるようになっている。
【００３５】
また、本実施形態では、底壁部１２の中央部に正面側アクセス孔１２ｂを設けているため、コード束１００を収納容器１内に収納した後においても、コード端部１０２を内側から引出孔２２に挿入することが可能となっている。これにより、コード端部１０２が内部空間Ｒ内に引込んでしまった場合においても、収納容器１を開くことなくコード端部１０２を引出孔２２から外部に突出させることができる。
【００３６】
結束具２００を取り外した後は、コード端部１０２を引張るだけで、必要な長さのコード端部１０２を引き出すことができる。本実施形態では、引出孔２２をコード束１００の中心軸Ｃｃ方向の一側（背面側）に設けているため、コード束１００を内部空間Ｒ内で回転させることなくコード端部１０２をスムーズに巻解いて引き出すことが可能となっている。
【００３７】
また、本実施形態では、引出孔２２を中心軸Ｃからずれた位置に設けているため、コード端部１０２を巻解いてく際に、コード束１００における巻解き位置Ｕから引出孔２２までの距離が変化するようになっている。これにより、巻解き位置Ｕから引出孔２２に向かうコード端部１０２の曲率が変化することとなるため、コード端部１０２の剛性によってコード束１００を適宜にほぐしながらコード端部１０２を引き出すことが可能となる。すなわち、コード端部１０２をよりスムーズに引き出すことができる。
【００３８】
なお、引出孔２２の位置は、特に限定されるものではないが、コード端部１０２をよりスムーズに引き出すためには、本実施形態のように中心軸Ｃからずれた位置であることが好ましく、中心軸Ｃから内部空間Ｒの半径の１／５以上離れた位置であればより好ましい。また、引出孔２２の内径は、特に限定されるものではないが、コード端部１０２の方向を適宜に定めてスムーズにコード端部１０２を引き出すためには、コードの外径（円形断面でない場合は最大幅）の１．５〜３倍であることが好ましい。
【００３９】
また、本実施形態では、引出孔２２を２つ設けているが、いずれの引出孔２２からコード端部１０２を引き出すようにしてもよいことは言うまでもない。また、本実施形態では、２つの引出孔２２を中心軸Ｃについて対称に配置しているが、非対称に配置してもよい。また、一方の引出孔２２から突出させたコード端部１０２を他方の引出孔２２に差し込むことで、コード端部１０２を収納容器１に固定するようにしてもよい。
【００４０】
＜第２の実施形態＞
次に、図５〜６を用いて、本考案の第２の実施形態に係るコード束の収納容器２（以下、収納容器２と呼ぶ）について説明する。なお、本実施形態では、第１の実施形態と同一の部分については図面に同一の符号を付すと共にその説明を省略し、以下、第１の実施形態と異なる部分についてのみ説明する。
【００４１】
本実施形態の収納容器２は、図５および６に示されるように、トレー１０の底壁部１２の外周部において中心軸Ｃを中心とする円周方向に沿って配列された略円弧状の２つの正面側アクセス孔１２ａ、および側壁部１４においてこれら２つの正面側アクセス孔１４ａに対応する位置（隣り合う位置）にそれぞれ配置された２つの外周側アクセス孔１４ａのみを備えている。
【００４２】
コード束１００は、一般的に２つの結束具２００で結束されていることが多いが、このように各アクセス孔１２ａ、１４ａをそれぞれ少なくとも２つ設けることで、コード束１００を大きく動かすことなく、２つの結束具２００を取り外すことができる。また、このようにアクセス孔１２ａ、１４ａの数を少なくした場合、商標や取扱説明等を記載したラベルを貼付する領域を広く確保することができるため、収納容器２をコード束１００の包装体として使用する場合の利便性を高めることができる。
【００４３】
収納容器２はまた、内部空間Ｒから引き出したコード端部１０２の長さを計測する計測器５０を、蓋２０の内側（トレー１０側）の面に備えている。計測器５０は、図７（ａ）および（ｂ）に示されるように、２つの引出孔２２のうちの一方から引き出されるコード端部１０２の直線運動を回転動力に変換する変換機構５２と、変換機構５２の回転動力によって回転する表示部材５４と、変換機構５２および表示部材５４を収容するケース５６と、を備えている。
【００４４】
変換機構５２は、ゴム製のローラ５２ａと、ローラ５２ａと同軸的に接続されたウォーム５２ｂと、ウォーム５２ｂと噛み合うウォームホイール５２ｃと、から構成されている。ローラ５２ａとウォーム５２ｂとを接続する軸５２ａ１は、中心軸Ｃと直交するように配置されると共に、蓋２０に設けられた２つの軸受５２ａ２によって両端を回転自在に支持されている。また、ウォームホイール５２ｃは、中心軸Ｃと平行に配置された軸５２ｃを介して蓋２０に回転自在に支持されている。
【００４５】
ローラ５２ａは、一方の引出孔２２の近傍に配置され、この引出孔２２を通過するコード端部１０２の側面に自身の外周面が接触するようになっている。すなわち、ローラ５２ａは、コード端部１０２が引出孔２２から引き出されるのに伴って回転する。ローラ５２ａの回転は、軸５２ａ２によってウォーム５２ｂに伝達され、最終的にウォームホイール５２ｃに伝達される。なお、他方の引出孔２２は、長さの計測を必要としない場合、またはコード端部１０２を固定する場合に使用される。
【００４６】
表示部材５４は、ウォームホイール５２ｃの背面側（蓋２０側）の端面に設けられた矢印状の部材である。従って、表示部材５４は、ウォームホイール５２ｃと共に収納容器２の内部で回転する。なお、蓋２０には、表示部材５４の基準位置Ｓ（本実施形態では、最下点の位置）に対応する位置に貫通孔である表示窓２０ｂが形成されており、基準位置Ｓにある表示部材５４は、この表示窓２０ｂを介して外部から視認可能となっている。
【００４７】
ケース５６は、蓋２０から正面側（トレー１０側）に向けて突設された円筒状の外周壁５６ａ、および円盤状の天板５６ｂから構成されている。天板５６ｂは、図示を省略した係合部によって外周壁５６ａの先端に固定される。天板５６ｂの引出孔２２に対応する位置には、コード端部１０２を挿通するための貫通孔である挿通孔５８が設けられている。
【００４８】
本実施形態では、このように引出孔２２と対向する挿通孔５８を設けることにより、引出孔２２を通過するコード端部１０２の位置および方向を略一定に保持するようにしている。これにより、コード端部１０２の側面を安定的にローラ５２ａの外周面に接触させると共に、コード端部１０２をローラ５２ａに対して略直交させることができるため、計測精度を向上させることが可能となる。
【００４９】
また、本実施形態では、引出孔２２の縁部を挿通孔５８に向けて突設させることによってガイド壁２２ａを形成し、このガイド壁２２ａによってコード端部１０２を挿通孔５８から引出孔２２へ確実に導くようにしている。なお、近傍にローラ５２ａが配置される方の引出孔２２では、ローラ５２ａと干渉しない範囲（約半分）にガイド壁２２ａを設けるようにしている。
【００５０】
このような構成により、計測器５０は、引き出されたコード端部１０２の長さに応じてウォームホイール５２ｃと共に表示部材５４が回転するようになっている。例えば、本実施形態では、コード端部１０２を約１ｍ引き出した場合に表示部材５４が１回転するように設定している。従って、使用者は、コード端部１０２を引き出しながら、表示部材５４が何度基準位置Ｓを通過したか、すなわち表示部材５４が何度表示窓２０ｂから視認可能となったかを数えることにより、コード端部１０２を何ｍ引き出したかを把握することができる。
【００５１】
従って、本実施形態の収納容器２によれば、メジャー等を用意することなく、コード端部１０２を過不足無く引き出して、交換用コードとして切り出すことが可能となっている。これにより、刈払の現場においても、必要な長さの交換用コードを迅速且つ容易に準備することができるため、コードに対する負荷が高く、頻繁にコードを交換する必要のある刈払作業においても、作業効率を大幅に向上させることができる。
【００５２】
なお、本実施形態では、変換機構５２にウォームギヤを採用しているが、ウォームギヤの代りにベベルギヤやフェースギヤ等を採用してもよいし、その他の既知の機構を採用してもよい。また、本実施形態では、ウォームホイール５２ｃに直接表示部材５４を設けるようにしているが、ウォームホイール５２ｃから既知の伝達機構を介して表示部材を回転させるようにしてもよい。また、中心軸Ｃと直交する軸を中心に表示部材５４を回転させるように構成してもよい。
【００５３】
また、表示部材５４の形状は、例えば三角形状や長方形状等、矢印以外の形状であってもよい。また、表示部材５４は、シール、印刷、着色または刻印等によって構成されるものであってもよい。また、表示窓２０ｂは、複数箇所に設けるようにしてもよいし、表示窓２０ｂを表示部材５４の移動方向に沿って連続的に設けると共にコード端部１０２の引き出し長さを表示する目盛を設けるようにしてもよい。また、本実施形態ではコード端部１０２の引き出し長さ１ｍに対して表示部材５４が１回転するように設定しているが、コード端部１０２の引き出し長さに対する表示部材５４の回転数がこれに限定されるものではないことは言うまでもない。
【００５４】
以上説明したように、上記各実施形態に係る収納容器１、２は、刈払機用のコードをコイル状に束ねたコード束１００を内部（内部空間Ｒ）に収納するための中空体３０と、中空体３０に形成され、コードを引き出すための引出孔２２と、を備え、引出孔２２は、コード束１００の軸方向（中心軸Ｃｃ方向）の一側（背面側）に形成されている。このような構成とすることで、使い勝手のよい状態でコード束を収納して保管することが可能となる。
【００５５】
具体的には、中空体３０の内部にコード束１００を収容することにより、結束具２００等を用いることなくコードをコイル状に束ねた状態のまま、コンパクトに保管することができる。また、コード束１００の軸方向の一側に引出孔２２を設けることにより、収納されたコード束１００を内部で回転させることなくコード端部１０２をスムーズに巻解いて引き出すことが可能となるため、必要な長さのコードを迅速且つ容易に切り出すことが可能な状態でコード束１００を保管することができる。
【００５６】
また、収納容器１、２は、中空体３０に形成され、中空体３０内部の（内部空間Ｒ内の）コード束１００に外部からアクセスするためのアクセス孔（正面側アクセス孔１２ａ、１２ｂ、外周側アクセス孔１４ａおよび背面側アクセス孔２０ａ）を備えている。このようにすることで、コード束１００を収納した後に結束具２００を取り外すことが可能となるため、収納容器１、２へのコード束１００の収納をきわめて容易にすることができる。
【００５７】
また、外周側アクセス孔１４ａは、コード束１００の外周側において周方向に沿った少なくとも２箇所に形成され、正面側アクセス孔１２ａおよび背面側アクセス孔２０ａは、コード束１００の軸方向（中心軸Ｃｃ方向）の一側または他側において周方向に沿った少なくとも２箇所に形成されている。このようにすることで、コード束１００を結束する２つの結束具２００を容易に取り外すことができる。
【００５８】
また、アクセス孔１２ａ、１２ｂ、１４ａ、２０ａは、コード束１００の外周側において周方向に沿って配列された少なくとも２つの外周側アクセス孔１４ａと、コード束１００の軸方向（中心軸Ｃｃ方向）の一側または他側において周方向に沿って外周側アクセス孔１４ａに対応する位置に配列された少なくとも２つの軸側アクセス孔（正面側アクセス孔１２ａまたは背面側アクセス孔２０ａ）と、を含んでいる。このようにすることで、コード束１００および結束具２００に対して同時に複数方向からアクセスすることが可能となるため、コード束１００を収納容器１内に収納した後であっても、きわめて容易に結束具２００を取り外すことができる。
【００５９】
また、引出孔２２は、コード束１００の軸方向の一側の端面において、中空体３０の内部空間Ｒの中心軸Ｃからずれた位置に形成されている。このようにすることで、コード束１００を適宜にほぐしながら、スムーズにコード端部１０２を引き出すことができる。
【００６０】
また、収納容器２は、引出孔２２から引き出されたコードの長さを計測して表示する計測器５０を備えている。このようにすることで、メジャー等を使用することなく、必要な長さのコードを迅速且つ容易に切り出すことができる。
【００６１】
また、計測器５０は、引出孔２２から引き出されるコードの直線運動を回転動力に変換する変換機構５２と、変換機構５２からの回転動力によって回転する表示部材５４と、を備えている。このようにすることで、簡素且つ安価な構成で計測器５０を実現することができる。
【００６２】
また、変換機構５２は、自身の外周面がコードの側面に接触するように配置されるローラ５２ａと、ローラ５２ａと同軸的に接続されるウォーム５２ｂと、ウォーム５２ｂと噛み合うウォームホイール５２ｃと、から構成されている。このようにすることで、簡素な構成でありながらも、引出孔２２から引き出されたコードの長さを確実に計測して表示することができる。
【００６３】
また、表示部材５４は、中空体３０の内部において一回転ごとに所定の基準位置Ｓを通過するように構成され、中空体３０には、基準位置Ｓにある表示部材５４を視認可能とする表示窓２０ｂが形成されている。このようにすることで、コード端部１０２が引き出された長さを、使用者に対して分かりやすく表示することができる。
【００６４】
なお、上記各実施形態では、中空体３０の内部空間Ｒを略円柱状に構成した例を示したが、本考案はこれに限定されるものではなく、内部空間Ｒの形状は、例えば多角柱状や楕円柱状等、その他の形状であってもよい。また、トレー１０および蓋２０の形状は、上記各実施形態で示した形状に限定されるものではなく、内部空間Ｒを有する中空体３０を形成可能な形状であればよい。
【００６５】
また、各アクセス孔１２ａ、１２ｂ、１４ａ、２０ａの形状、位置および個数は、上記各実施形態において示した形状、位置および個数に限定されるものではなく、その他の形状、位置および個数であってもよい。また、引出孔２２の形状は、例えば多角形状や楕円形状等、その他の形状であってもよく、引出孔２２の個数は、１つであってもよいし、３つ以上であってもよい。
【００６６】
また、係合部４０およびロック部４２は、上記各実施形態で示した構造に限定されるものではなく、その他の既知の構造を採用することができる。また、係合部４０のみを備え、ロック部４２を備えないようにしてもよい。
【００６７】
また、本実施形態では、機械式の計測器５０を設けた例を示したが、本考案はこれに限定されるものではなく、電機、磁気または光等を利用した既知の手法による計測器５０を設けるようにしてもよい。
【００６８】
以上、本考案の実施の形態について説明したが、本考案のコード束の収納容器は、上記した実施の形態に限定されるものではなく、本考案の要旨を逸脱しない範囲内において種々変更を加え得ることは勿論である。
【産業上の利用可能性】
【００６９】
本考案に係るコード束の収納容器は、刈払機用のコード以外にも、切り出して使用される各種コードのコード束を収納する収納容器の分野で利用することができる。
【符号の説明】
【００７０】
１、２  コード束の収納容器
１２ａ、１２ｂ  正面側アクセス孔
１４ａ  外周側アクセス孔
２０ａ  背面側アクセス孔
２０ｂ表示窓
２２  引出孔
３０  中空体
５０  計測器
５２  変換機構
５２ａ  ローラ
５２ｂ  ウォーム
５２ｃ  ウォームホイール
５４  表示部材
１００  コード束
Ｃ  内部空間の中心軸
Ｃｃ  コード束の中心軸
Ｒ  内部空間
Ｓ  基準位置
【図１】
0003170951.tif 000003
【図２】
0003170951.tif 000004
【図３】
0003170951.tif 000005
【図４】
0003170951.tif 000006
【図５】
0003170951.tif 000007
【図６】
0003170951.tif 000008
【図７】
0003170951.tif 000009